(57)【要約】【課題】  物干竿に掛けたハンガーの風による移動防止と、ハンガーの取込みとが瞬時にできるようにした掛止手段付き物干竿及びその物干竿に用いる係止具の提供を目的とする。【解決手段】  物干竿の軸芯にそった外表面の一側壁に、ハンガーの滑り移動を阻止する移動阻止手段を設けた掛止具と、この掛止具を取付けた物干竿の対向面に、前記ハンガーを滑らせるための滑り手段を有する滑り面とを設けて掛止手段付き物干竿とした。  係止具と接触したハンガーは、風による滑り移動が阻止されると共に、この状態から物干竿を軸回転すると、ハンガーが掛止具取付側から滑り面側に移行するので、物干竿を傾斜させるとハンガーが滑り面に沿って一方向に集合して、ハンガーの取込みが瞬時にできるようにしたものである。【選択図】図１
2007136140.tif 000002
【特許請求の範囲】
【請求項１】
洗濯物を掛けるハンガーを掛止すると共に、棒体よりなる物干し竿と、
この物干竿外表面の軸芯にそった長手方向の一側壁に設けられ、前記ハンガーの滑り移動を阻止する移動阻止手段を有する掛止具と、
この掛止具を取付けた物干竿の掛止具取付面と対向する面に、前記ハンガーを滑らせるために必要に応じて滑り具を設けた滑り面とからなり、洗濯物の乾燥には水平状態に配設した前記物干竿の頂部側に、前記掛止具を位置させることで前記ハンガーの移動を阻止し、洗濯物の取入れには前記掛止具を物干竿の前記頂部側から下部側に位置するように前記物干竿を軸回転すると共に、その一端側を傾斜させることによってハンガーは掛止具取付面から前記滑り面への掛止に移行して、傾斜させた物干竿にそって滑りながら一方に集合するようにしたことを特徴とする掛止手段付き物干竿。
【請求項２】
棒体を傾斜することによって、この棒体に掛止したハンガーが滑りながら移動するように形成した物干竿と、
この物干竿を形成する前記棒体の軸芯方向にそった一側壁に配設されると共に、前記棒体の直径よりも幅の狭い帯状で、前記ハンガーの滑り移動を阻止するための移動阻止部材を有する掛止具とからなる掛止手段付き物干竿。
【請求項３】
物干竿の軸芯にそった長手方向の一側壁に配設されると共に、前記物干竿の直径よりもその幅を狭く設定した帯状で、この帯状に掛止したハンガーの滑り移動を阻止する移動防止部材を設けた掛止具。
【請求項４】
物干竿の軸芯にそった長手方向の一側壁に配設されると共に、前記物干竿の直径よりもその幅を狭く設定した帯状で、この帯状に掛止したハンガーの滑り移動を阻止するために、所定の間隔を持って配設した複数の突出体とからなる掛止具。
【発明の詳細な説明】
【技術分野】
【０００１】  本発明は、物干竿に掛けたハンガーの移動を阻止すると共に、洗濯物の取入れが、瞬時にできるように改善した掛止手段付き物干竿及びその物干竿に用いる掛止具に関する。
【背景技術】
【０００２】    ハンガーの移動を阻止するようにした従来例としては、山切りカットと呼ばれるＶ字状のカット部分を、物干竿の軸芯と直交する方向に一定の間隔で、複数個を設けてハンガーの移動を阻止するようにしたものがある。（例えば特許文献１参照）
また、物干竿に上述したＶ字状のカットと同様に、切削して溝を形成したり、複数の円弧状の基体５を一定の間隔を設けて竿に取付けることで、基体５間を溝としたりするものがある。（例えば、特許文献２参照）。
【特許文献１】  実用新案登録第３１１２１５６号公報（第２頁、図１）
【特許文献２】  実用新案登録第３０４１６５５号公報（第１頁、図１）
【発明の開示】
【発明が解決しようとする課題】
【０００３】  特許文献１に示す突風防止付物干竿は、物干竿自体に山切りカットを設けるために専用の物干竿を必要とするばかりでなく、物干竿の一部を切断した山切りカット部分で、物干竿の強度が低下して、重量のある濡れた洗濯物を掛けるには安心できなかった。
また、従来使用していた手持の物干竿を流用することが不可能であるという欠点も併せ持っていた。
特許文献２に示すハンガー掛け付き物竿及び着脱式物干竿ハンガー掛けも、特許文献１に示すものと同様の欠点を持っていた。
但し溝を形成するために基体５を後付けする着脱式の物干竿は、現在使用中のものを一部流用することも可能であるが、物干竿と基体５の直径が一致するものでなければ、流用することは不可能であった。
更に基体５は、物干竿外周囲の大半を、覆うように取付けるために、本願のように物干竿を１８０度軸回転させると共に傾斜させることで、ハンガーを一方に滑らせて、瞬時にハンガーを集合させることは、不可能であるという大きな欠点があった。
本発明は、このような欠点を解消するためになされたものであり、手持の物干竿を流用して、後付けのできる掛止具を備えた掛止手段付き物干竿及びその物干竿に用いる掛止具の提供を目的とする。
【発明を解決するための手段】
【０００４】  上記不具合を解決するために、本発明は次のような構成としている。
請求項１に記載した掛止手段付き物干竿は、物干竿の軸芯にそった一側壁に、ハンガーの滑り移動を阻止するために移動阻止部材を有する掛止具と、この掛止具を取付けた物干竿の対向面に、前記ハンガーを滑らせる滑り手段を有する滑り面とを設けることで、掛止手段付き物干竿とした。
このような物干竿を軸回転することによって、ハンガーが掛止具取付側から滑り面側に移行し、ハンガーが滑り面側に掛止した場合に、物干竿を傾斜することにより、ハンガーが一方向に集合するようにして、洗濯物の風による一方への片寄り防止と、洗濯物の取込みが瞬時にできるものである。
請求項２に記載した掛止手段付き物干竿は、棒体に掛止したハンガーが、棒体を傾斜させることにより、滑りながら移動するように形成した物干竿の軸芯にそって配設されると共に、前記棒体の直径よりも幅の狭い帯状で、ハンガーの滑り移動を阻止するための移動阻止部材を有する掛止具を設けることで、掛止手段付き物干竿とした。
このような物干竿によっても、風によるハンガーの一方向への移動と、洗濯物の取込みが瞬時にできるものである。
請求項３に記載した掛止具は、物干竿の軸芯にそった長手方向の一側壁に配設されると共に、前記物干竿の直径よりもその幅を狭く設定した帯状で、この帯状に掛止したハンガーの滑り移動を阻止するために、移動阻止部材を設けることで掛止具とした。
このような掛止具を手持の物干竿に取付けることで、現在使用中の物干竿を掛止手段付き物干竿として活用できる。
請求項４に記載した掛止具は、請求項３に記載した掛止具の移動阻止部材として、所定の間隔を持たせて、複数の突出体を設けることで掛止具としたものであり、風によるハンガーの滑り移動阻止を、更に向上させることができる。
【発明の効果】
【０００５】  本発明によれば、物干竿の直径よりも幅を狭くした掛止具を、物干竿に取付けできるようにしたことにより、以下の効果を得ることができた。
すなわち、本発明の掛止具によれば、現在手持の物干竿をそのまま流用して使用できるだけでなく、物干竿の全体又は一部分を必要に応じて選択して使用することができる。
また、この掛止具は物干竿の頂部側に配設して、ハンガーの移動を阻止するだけでなく、１８０度の軸回転によって、掛止具を物干竿の下側に位置させると、頂部側には抵抗物が無くなり、物干竿の傾斜によって、ハンガーを滑らせて一方に集合させることができる。
従って、雨降り等によって、いそいで洗濯物を取込む必要のある場合に、特に有効である。これらの動作は物干竿の一端側で、人が移動することなく瞬時に行えるから、取込み作業が非常に簡単になるものである等の効果を得ることができた。
【発明を実施するための最良の形態】
【０００６】  本発明について、図面を参照して説明する。図１は本発明の掛止手段付き物干竿の一部を破断して示す破断斜視図、図２は図１を分解して側面から見た説明図である。
図１で示すように、本発明の掛止手段付き物干竿１０は、竹材や金属製などのパイプ材よりなる棒体の物干竿１２と、この物干竿の外表面の長手方向に、その軸芯にそって帯状に設けた掛止具２０と、この掛止具２０と対向配置して、物干竿の外表面に設けた滑り具３０とからなる。
このような物干竿１２と掛止具２０及び滑り具３０とについて、更に詳細に説明する。
物干竿１２は、竹や金属製などのパイプ材よりなる市販品であり、自宅で使用している物干竿を流用することも可能である。
移動阻止手段としての掛止具２０は、摩擦抵抗の大きい材料よりなり、柔軟性を持ったクッション効果のある滑り止め材を用いている。例えば滑り止め効果を高めるために、その表面に凹凸形状を設けたり、粘着性を持たせたりした弾性ゴムや合成樹脂製のクッション材よりなるシート材である。
また、各種マットの下に敷いて、マット類の移動を阻止する市販の滑り止め用シートでも良く、これらの材料は図１及び図２で示すように、帯状に切断して滑り止めテープ２１を形成すると共に、この滑り止めテープの裏面側には、両面接着テープ２２を貼り合せて掛止具２０を形成し、このテープ状の掛止具２０を、物干竿１２の一側壁に貼り付けて使用するものである。【０００７】  滑り具３０は、前述した掛止具２０とは逆に、滑りを良くする材質よりなり、その表面を密にして光沢を持たせたシート材を用いると共に、図１及び図２で示すように、帯状に切断して滑りテープ３１を形成している。
この滑りテープ３１の裏面側にも、両面接着テープ３２を貼り合せて、滑り具３０を形成すると共に、これを物干竿１２に配設した掛止具２０と対向配置するように貼り付けて使用する。
尚、この滑り具３０は、物干竿自体を傾斜させた時に、物干竿に掛止したハンガーが、滑り移動するようであれば、この滑り具３０は不要である。なぜなら物干竿自体が滑り具３０を形成していることになり、滑り具３０を一体化した物干竿である理由による。
このような滑り具３０が必要な例は、物干竿１２として竹材を用いた場合に、竹材の節が滑りの邪魔をしたり、物干竿自体が滑りの悪い素材等で作られている場合に必要となる。
例えば、物干竿自体の外表面全周に、輪形又は螺旋状の掛止用溝を設けて、ハンガーの移動阻止手段となる掛止具を一体化した場合に、この物干竿にテープ状の滑り具３０を貼り付けることで、掛止手段付き物干竿とすれば、本願の目的を達成することができる。
従って、掛止具を一体化した物干竿に、この滑り具３０を使用することで、物干し竿の一側壁に滑り面を形成し、風によるハンガーの滑り移動防止と、物干竿の軸回転によるハンガーの取込み簡略化ができるものである。【０００８】  このように構成した掛止手段付き物干竿１０の使用例について、図面を参照して説明する。図３は本発明の使用例を示す説明図、図４は洗濯物を取込む例を示す説明図である。
図３で示すように、洗濯物１５を干す場合は、掛止手段付き物干竿１０の掛止具２０が、その頂部側となるようにしてハンガー１４を掛ける。これはハンガーの吊部が掛止具２０と接触して、風による滑り移動を阻止する取付方であり、乾燥中の状態を示している。
洗濯物１５を取込む場合は、図３の図中の矢印Ａで示すように、物干竿を１８０度軸回転をさせて、掛止具２０が図３で示した頂部側から下部側に位置させると共に、図４の矢印Ｂで示すように、物干竿の一端側を降下させて、物干竿を傾斜状態に設定する。
するとハンガー１４は、物干竿の滑り具３０側に掛止しており、図中の矢印Ｃで示す方向に滑りながら集合するので、纏めてハンガーを取外すことができる。
尚、図３及び図４で示した掛止手段付き物干竿１０は、棒体自体に滑りを持たせて、滑り具３０を使用しない滑り面の例で図示している。
従来は、ハンガーの掛止位置に行って、１つずつハンガーを取外していたが、本発明の掛止手段付き物干竿１０によれば、物干竿の一端側で全てのハンガーを、一度に取込むことができるすぐれものである。【０００９】  本発明の他の例について説明する。図５は本発明の他の例の掛止手段付き物干竿の一部を破断して示す斜視図、図６は図５で示す掛止具の分解斜視図である。
図５で示す掛止手段付き物干竿４０は、前述例と同様の物干竿４２に、突出体５２を有する掛止具５０を設けたものである。この掛止具５０は、図示しないハンガーが掛止できるように、一定の間隔を設けた１対の突出体５２を、複数対設けたものである。
突出体５２は、ハンガーの滑り移動を阻止するように突出したものであり、図示の例では球体である。このような掛止具５０について、更に詳細に説明する。
図６で示すように掛止具５０は、帯状で合成樹脂製のテープ、例えば軟質性のビニールテープに、ハンガーの滑り移動を阻止する突出体５２を設けたものである。
この突出体５２は、鋲５４付きの球体５３よりなり、鋲５４を軟質性のビニールテープ５１に、突き刺して取付けるものである。このような突出体５２付きの軟質性ビニールテープ５１には、クッション材の両面に、接着テープを取付けて形成したクッション材入り両面接着テープ５５を貼付して用いる。
このクッション材は、鋲５４がビニールテープの裏面側に突出した場合に、鋲５４の存在を吸収するものである。
このように構成した掛止具５０も前述例と同様に、物干竿４２の長手方向にそって貼付するものであり、この物干竿を軸回転させて、ハンガーを取込むことも同様である。この掛止具５０によれば、球体よりなる１対の突出体５２の存在で、強い風が吹いてもハンガーの滑り移動を、阻止するようにしたものである。
このように鋲５４を持った突出体５２の外に、図示しないがコ字形の板を軟質性のビニールテープにハトメで固着し、コ字形の凹部内にハンガーを掛止するようにした突出体でも良い。
また、合成樹脂で形成したコ字形の板の裏面側に、突出させた細い棒体を一体化して形成し、この棒体部分をビニールテープの裏面側に突出させて、溶着するようにした突出体でも良い。
これらの突出体を設けたビニールテープの裏面にも、両面接着テープを用いて、物干竿に取付けるようにするものである。【００１０】  本発明の他の例の掛止手段付き物干竿６０について説明する。図７は本発明のその他の例で用いる掛止具を示す一部破断斜視図である。
その他の例で示す掛止手段付き物干竿６０は、物干竿６２と掛止具７０となることは前述例と同様であり、物干竿も前述例と同様であるから掛止具７０についてのみ説明する。
図７で示すように掛止具７０は、摩擦を有する帯状のクッション材７２に、ハンガーを掛止するための掛止凹部７３を複数個設けたものであり、その裏面側には物干竿６２に取付けるための、両面接着テープ７５を貼り合せている。
このような掛止具７０は、本体がクッション材であるために、物干竿の形状に追従しやすくて、多少の変形がある物干竿にも取付けが確実にできると共に、両面接着テープもクッション材などを必要としない一般的なものが、使用できるという特徴がある。
本体にクッション材を用いた掛止具７０は、洗濯物を吊下げたハンガーを掛止すると、掛止凹部がその重さで更に凹むので掛止状態が深くなって、より確実な掛止ができるものである。【００１１】  以上説明した前述例の各種掛止具は、伸縮可能な物干竿に用いると、作業者が移動することなく、洗濯物を掛止したり取込んだりすることができる。このような例について以下に説明する。図８は二重ポールタイプの物干竿に掛止具を取付けた例を示す説明図である。
伸縮可能な物干竿を用いた掛止手段付き物干竿８０は、図８で示すように内竿８３と外竿８４とからなり、内竿８３にそって外竿８４が動くように形成したもので、伸縮可能な二重ポールタイプの物干竿８２である。
この物干竿８２の外竿８４に、前述した各種の掛止具９０を取付けることで、掛止手段付き物干竿８０とした。この物干竿８２に洗濯物を吊下げたハンガー１４を掛止するには、図中の点Ｐで示す位置に作業者が立ち、物干竿の全長を伸ばす方向であり、図中の矢印Ｄで示す方向に外竿８４を動かして、外竿８４の端部側の掛止具９０上にハンガー１４を掛止する。
複数のハンガーを掛止するには、伸ばした物干竿を縮めるように、外竿を図中の矢印Ｅ方向に動かしながら、順番に掛止して物干竿を元の状態に戻す。
洗濯物を取込む場合は、図３及び図４で説明したように、物干竿８２を軸回転させて、ハンガーを滑り面に掛止させると共に、作業者の立つ物干竿の一端側を降下させると、ハンガーが滑り降りて来て集合するから取込みが容易である。
よって、この例では軒下に配設した物干竿８２に、室の窓からハンガーを掛止したり、取込みをしたりする場合に、戸を開け閉めして作業者が室内を移動する必要が全くないので、非常に便利な構成となっている。
【図面の簡単な説明】
【００１２】
【図１】    本発明の掛止具付き物干竿の一部を破断して示す破断斜視図である。
【図２】    図１を分解して側面から見た説明図である。
【図３】    図１の使用例を示す説明図である。
【図４】    洗濯物を取込む例を示す説明図である。
【図５】    本発明の他の例の掛止手段付き物干竿の一部を破断して示す斜視図である。
【図６】    図５の掛止具を一部破断して示す分解斜視図である。
【図７】    本発明のその他の例の掛止手段付き物干竿に用いる掛止具を示す一部破断斜視図である。
【図８】    二重ポールタイプの物干竿に本発明の掛止具を用いた例の説明図である。
【符号の説明】
【００１３】  １０  掛止手段付き物干竿
１２  物干竿
１４  ハンガー
２０  掛止具
３０  滑り具
４０  掛止手段付き物干竿
４２  物干竿
５０  掛止具
５２  突出体
７０  掛止具
７２  クッション材
８０  掛止手段付き物干竿
８２  物干竿
９０  掛止具
【図１】
2007136140.tif 000003
【図２】
2007136140.tif 000004
【図３】
2007136140.tif 000005
【図４】
2007136140.tif 000006
【図５】
2007136140.tif 000007
【図６】
2007136140.tif 000008
【図７】
2007136140.tif 000009
【図８】
2007136140.tif 000010